(57)【要約】【課題】  ステッカーを直接ゴルフクラブヘッドに貼り付け、貼り付けた後は簡単に剥がれることなく、剥がす時には綺麗に剥がすことができ、さらには繰り返し貼り付け、剥がすことができる静電ステッカーを用いたゴルフクラブを提供する。【解決手段】  ゴルフクラブヘッド１の平滑な面に、表面に文字や図形が描かれ、裏面に静電密着性を備えたフィルム状ないしシート状の静電ステッカー３の裏面を粘着した。【選択図】  図１
0003101818.tif 000002
【実用新案登録請求の範囲】
【請求項１】
ゴルフクラブヘッドの平滑な面に、表面に文字や図形が描かれ、裏面に静電密着性を備えたフィルム状ないしシート状の静電ステッカーの裏面を粘着したことを特徴とするゴルフクラブ。
【請求項２】
前記静電ステッカーは、表面を形成する薄膜層とこの薄膜層の下面に静電気を帯電し易くなるように加工された底膜層とから成ることを特徴とする請求項１に記載のゴルフクラブ。
【請求項３】
ゴルフクラブヘッドに熱収縮フィルムを被せ、この収縮フィルムの上に請求項１又は２に記載の静電ステッカーを粘着したことを特徴とするゴルフクラブ。
【考案の詳細な説明】
【技術分野】
【０００１】
本考案は、ゴルフクラブに関し、特に販売店で展示するのに適したゴルフクラブに関する。
【背景技術】
【０００２】
従来のゴルフクラブ売り場では、その展示されたゴルフクラブに関する情報などを裏面に糊などの接着剤を塗布したステッカー（ラベル或いはシール）の表面に印刷し、このステッカーをゴルフクラブに貼り付けていた。
【０００３】
例えば、陳列台に立て掛けられて単品で販売されているゴルフクラブには、その機種名、番手、シャフトフレックス、ロフト等の商品仕様を表示したラベルが、そのクラブヘッド、シャフト等に、直接糊付けされるか、セロハンテープや輪ゴムなどで取り付けられている。一方、そのゴルフクラブの特徴やキャッチフレーズ等の商品広告を表示したラベルは、上記商品仕様を表示したラベルとは別に作られ、セロテープや輪ゴムなどでゴルフクラブのいずれかの箇所に取り付けたり、陳列台にクリップ等を用いて取り付けられ、販売促進がなされている。上記のように従来は、ゴルフクラブの機種名、番手、シャフトフレックス、ロフト等の商品仕様を表示したラベルと、商品の特徴やキャッチフレーズ等の商品広告を表示したラベルは、それぞれ別々に作られ、別々にゴルフクラブのいずれかの箇所、或いは陳列台等に取り付けられている。さらに、ゴルフクラブに取り付けられている機種名、番手、シャフトフレックス、ロフト等の商品仕様を表示したラベルは、直接ゴルフクラブヘッド、シャフト、グリップ等に直接糊付けされている。
【０００４】
従って、従来においては、商品仕様を表示したラベルと商品広告を表示したラベルをそれぞれ別々に作らなければならずラベルの種類や数が増え、店頭での管理が煩雑になるという問題がある。また、これらのラベルは別々に取り付けられているため、ユーザーは、商品仕様を知るためにはゴルフクラブを見、さらに商品の特徴を知るためには別の場所にある商品広告を見なければならず、非常に煩わしく、また、アドレス時にヘッドの形状確認の邪魔になるおそれもある。さらに、ゴルフクラブに商品仕様を表示したラベルを直接糊付けした場合には、ユーザーが購入後ラベルを剥がす時、剥がしにくく、剥がれても糊がゴルフクラブ上に残る等、綺麗に剥がれないという問題がある。
【０００５】
そこで、上記ラベルが簡単に剥がれることなく、また剥がす時には、容易に、綺麗に剥がすことができるゴルフクラブが開発された（特許文献１参照）。これは、ゴルフクラブヘッドをプラスチックフィルムで被覆すると共に、そのプラスチックフィルム上の任意の位置に商品広告と商品仕様とを表示したラベルを貼ったものであり、商品仕様を表示したラベルと商品広告を表示したラベルを一つのものとし、ユーザーが一目見て、そのゴルフクラブの仕様、特徴、キャッチフレーズ等を理解できると共に、ラベルの種類や数を減じ、店頭での商品管理を容易にしたものである。
【特許文献１】特開２００２−３１５８５３号公報（第１頁、図２）
【考案の開示】
【考案が解決しようとする課題】
【０００６】
従来は、一般にシュリンクフィルムと呼ばれるプラスチックフィルム（熱収縮フィルム）でゴルフクラブヘッドを被覆するものであり、この場合は、ラベルを貼り替えたり、剥がす際にシュリンクフィルムが破れてしまうという問題点があった。また、直接ラベルをヘッドに貼り付ける場合は、ラベル裏面の糊でヘッド表面に貼るから、従前と同様にラベルを剥がす時に剥がしにくく、剥がれても糊がヘッド表面に残り、綺麗に剥がれないという欠点があった。
【０００７】
そこで、この考案は、ステッカー（ラベルあるいはシール）を直接ゴルフクラブヘッドに貼り付け、または、シュリンクフィルムの上から貼り付け、貼り付けた後は簡単に剥がれることなく、剥がす時には、綺麗に剥がすことができ、さらには繰り返し貼り付け、剥がすことのできるステッカーを用いたゴルフクラブを提供することを目的とする。
【課題を解決するための手段】
【０００８】
上述の目的を達成するため、この考案は、ゴルフクラブヘッドの平滑な面に、表面に文字や図形が描かれ、裏面に静電密着性を備えたフィルム状ないしシート状の静電ステッカーの裏面を粘着したものである。
【考案の効果】
【０００９】
この考案で使用するステッカーは、糊を使用しないために、ゴルフクラブヘッドに貼り付けた後は簡単に剥がれることがなく、剥がすときには綺麗に剥がせるものであり、繰り返し貼付可能である。このステッカーは、帯電しやすい滑らかな底膜層を有し、この底膜層の静電気の吸着作用により、滑らかな表面を有するゴルフクラブヘッドに貼り付けるこことができる。またシュリンクフィルムの上からも貼ることもでき、シュリンクフィルムによる商品保護も図れる。
【考案を実施するための最良の形態】
【００１０】
以下に、この考案の好適な実施形態について図面を参照しつつ説明する。
【００１１】
本考案の実施の形態では、ゴルフクラブヘッド１にシャフト２が装着されており、ボールをヒットするフェース面１０とソール面１１とを示している。この実施形態では、ソール面１１にフィルム状ないしはシート状の静電ステッカー（ラベルあるいはシール）３を貼り付けてある。
【００１２】
図２は図１に示す静電ステッカー３の拡大断面図であり、表面を形成する薄膜層３０とこの薄膜層３０の下面に静電気を帯電し易くなるように加工された底膜層３１を接着剤３２で接着してある。静電ステッカー３の薄膜層３０と底膜層３１とは接着剤３２によらず、高周波溶着により接着することもできる。また、薄膜層３０は、紙、布、ＰＶＣ（ポリ塩化ビニル）などの材料から作られ、その表面に文字や図形が描かれている。この文字などは、従来例と同様に商品広告と商品仕様を同時に印刷しておくことができるものである。或いは別個の静電ステッカー３を２以上貼り付けることもできる。底膜層３１は、ＰＶＣ系のプラスチック材料から、静電気を帯電し易くなるように、その表面が極めて滑らかに仕上げられた薄い膜で形成してある。
【００１３】
このような静電ステッカー３が、ゴルフクラブヘッド１の平滑な面に吸着ないしは粘着できるのは、底膜層３１とゴルフクラブヘッド１の平滑な面との間に存在した静電気による両者の吸引力と、静電ステッカー３の底膜層３１とゴルフクラブヘッド１の平滑な面が密接されたときに外部大気圧力が静電ステッカー３の表面を圧迫する力との総合的な作用力によるものである。このような静電ステッカー３は、水で洗うことにより底膜層３１に付着した埃などを除去すれば再び強い粘着力を保つことができる。従って、繰り返し貼り付け、剥がすことが可能となる。
【００１４】
図３では、ゴルフクラブヘッド１のクラウン部１２にこの静電ステッカー３を貼り付けた実施形態を示すものである。この静電ステッカー３の表面に印刷する文字等は、ゴルフクラブの番手、シャフトの硬さ、ロフト角等の商品仕様を印刷するとともに、商品広告としての商品の特徴とかキャッチフレーズ等を同時に印刷することもできるものである。或いは図３に示すクラウン部１２には商品の特徴を表示し、図１に示すソール面１１には商品仕様を表示するようにしてもよい。
【００１５】
上述した実施形態は、静電ステッカー３をゴルフクラブヘッド１に直接貼り付けたが、ゴルフクラブヘッド１に熱収縮フィルムを被せ、この収縮フィルムの上に粘着することもできる。このようなフィルムを被せることでヘッド１の保護がなされる。
【００１６】
以上説明した実施形態ではいわゆるウッドクラブと言われるものに静電ステッカー３を貼り付けたが、ユーティリティークラブとかアイアンクラブにもその平滑な表面に貼り付けることが可能である。販売時にこれら静電ステッカー３を剥がして商品本体のみを販売することもでき、剥がした静電ステッカー３は同様の展示用の商品に再び貼り付けることもできる。さらに、この静電ステッカー３を貼る場所によっては、図４に示すようにゴルフの練習やプレーにも活用できる。図４では、ヘッド１のボールをヒットするポイントマークとして静電ステッカー３をクラウン部１２に貼り、ゴルフプレーや練習のときに活用でき、フェードボールやドローボールを打ちたいときには静電ステッカー３を貼る位置を変えることもできる。
【図面の簡単な説明】
【００１７】
【図１】本考案の一実施形態を示す斜視図。
【図２】静電ステッカーの拡大断面図。
【図３】他の実施形態を示す斜視図。
【図４】他の実施形態を示す平面図。
【符号の説明】
【００１８】
１    ゴルフクラブヘッド
３    静電ステッカー
３０  薄膜層
３１  底膜層
【図１】
0003101818.tif 000003
【図２】
0003101818.tif 000004
【図３】
0003101818.tif 000005
【図４】
0003101818.tif 000006